(57)【要約】【課題】テレビ受像機と協働することができる利便性に優れた携帯情報処理装置を提供する。【解決手段】携帯情報処理装置１は、タッチパネル２と、制御部６とを有する。制御部６は、判定部６１と、送信制御部６２とを有する。判定部６１は、携帯情報処理装置１にテレビチューナが接続されているか否かを判定する。送信制御部６２は、判定部６１にてテレビチューナが接続されていると判定された場合、ユーザによる操作に対応するテレビ放送を選局するための選局情報を外部に送信することなくテレビチューナに送信することによって、テレビチューナに選局をさせる。タッチパネル２は、テレビチューナによって選局されたテレビ放送を表示する。【選択図】図３
2013051458.tif 000002
【特許請求の範囲】
【請求項１】
ユーザによる操作に対応するテレビ放送を選局するための選局情報を外部に送信することによって、テレビ受像機に選局をさせる携帯情報処理装置において、
当該携帯情報処理装置にテレビチューナが接続されているか否かを判定する判定部と、
前記判定部にて前記テレビチューナが接続されていると判定された場合、前記選局情報を、当該テレビチューナに送信することによって、当該テレビチューナに選局をさせる送信制御部と、
前記テレビチューナによって選局されたテレビ放送を表示する表示部と
を有することを特徴とする携帯情報処理装置。
【請求項２】
前記テレビチューナに送信した選局情報を記憶する記憶部をさらに有し、
前記送信制御部は、ユーザによる指示に基づいて、前記記憶部に記憶された選局情報を外部に送信することによって、前記テレビ受像機に選局をさせることを特徴とする請求項１に記載された携帯情報処理装置。
【請求項３】
外部に送信した選局情報を記憶する記憶部をさらに有し、
前記送信制御部は、前記判定部にて前記テレビチューナが接続されていると判定された場合、前記記憶部に記憶された選局情報を、当該テレビチューナに送信するとともに、前記テレビ受像機の電源を切るための制御信号を外部に送信することによって、前記テレビ受像機に電源を切らせることを特徴とする請求項１に記載された携帯情報処理装置。
【請求項４】
テレビ放送の番組表を外部から取得する取得部をさらに有し、
前記表示部は、前記取得部にて取得された番組表を表示するとともに、当該番組表の欄のうち、前記テレビチューナによって選局されたテレビ放送に対応する欄に、当該テレビ放送を表示することを特徴とする請求項１から３のいずれかに記載された携帯情報処理装置。
【発明の詳細な説明】
【技術分野】
【０００１】
本発明は、ユーザによる操作に対応するテレビ放送を選局するための選局情報を外部に送信することによって、テレビ受像機に選局をさせる携帯情報処理装置に関する。
【背景技術】
【０００２】
特許文献１には、テレビチューナから出力されるテレビ放送を赤外線信号に変換して送信するとともに、この赤外線信号を携帯型の液晶モニタにて受信することによって、テレビ放送を液晶モニタに表示させることが開示されている。ユーザは、液晶モニタに設けられたボタンを操作することによって、赤外線信号を介してテレビチューナに選局をさせることができるので、液晶モニタにて所望のテレビ放送を視聴することができる。
【０００３】
また、特許文献１には、テレビ受像機から出力されるテレビ放送を赤外線信号に変換して送信するとともに、この赤外線信号を液晶モニタにて受信することによって、テレビ放送を液晶モニタに表示させることが開示されている。
【先行技術文献】
【特許文献】
【０００４】
【特許文献１】特開２００４−７７０１号公報
【発明の概要】
【発明が解決しようとする課題】
【０００５】
しかしながら、特許文献１に記載された発明では、テレビ受像機から出力されるテレビ放送を液晶モニタに表示させる場合、液晶モニタは、テレビ受像機に表示されるテレビ放送と同じテレビ放送を表示するのみである。したがって、ユーザは、リモートコントローラなどを用いることによって、テレビ受像機に選局をさせなければ所望のテレビ放送を視聴することができない。すなわち、液晶モニタは、テレビ受像機と協働することができないので、利便性が低いという問題がある。
【０００６】
本発明の目的は、テレビ受像機と協働することができる利便性に優れた携帯情報処理装置を提供することである。
【課題を解決するための手段】
【０００７】
かかる課題を解決すべく、本発明は、判定部と、送信制御部と、表示部とを有し、ユーザによる操作に対応するテレビ放送を選局するための選局情報を外部に送信することによって、テレビ受像機に選局をさせる携帯情報処理装置を提供する。判定部は、携帯情報処理装置にテレビチューナが接続されているか否かを判定する。送信制御部は、判定部にてテレビチューナが接続されていると判定された場合、選局情報を、このテレビチューナに送信することによって、このテレビチューナに選局をさせる。表示部は、テレビチューナによって選局されたテレビ放送を表示する。
【０００８】
ここで、本発明において、携帯情報処理装置は、テレビチューナに送信した選局情報を記憶する記憶部をさらに有し、送信制御部は、ユーザによる指示に基づいて、記憶部に記憶された選局情報を外部に送信することによって、テレビ受像機に選局をさせることが好ましい。また、携帯情報処理装置は、外部に送信した選局情報を記憶する記憶部をさらに有し、送信制御部は、判定部にてテレビチューナが接続されていると判定された場合、記憶部に記憶された選局情報を、このテレビチューナに送信するとともに、テレビ受像機の電源を切るための制御信号を外部に送信することによって、テレビ受像機に電源を切らせることが好ましい。さらに、携帯情報処理装置は、テレビ放送の番組表を外部から取得する取得部をさらに有し、表示部は、取得部にて取得された番組表を表示するとともに、この番組表の欄のうち、テレビチューナによって選局されたテレビ放送に対応する欄に、このテレビ放送を表示することが好ましい。
【発明の効果】
【０００９】
本発明によれば、携帯情報処理装置は、ユーザによる操作に対応するテレビ放送を選局するための選局情報を外部に送信することによって、テレビ受像機に選局をさせるので、テレビ受像機のリモートコントローラとして機能する。また、携帯情報処理装置は、判定部と、送信制御部と、表示部とを有するので、携帯情報処理装置と、テレビチューナとを接続した場合、ユーザは、テレビチューナによって選局されたテレビ放送を携帯情報処理装置にて視聴することができる。この際、選局情報は、テレビチューナに送信されるので、ユーザは、リモートコントローラとして携帯情報処理装置を用いる場合と同じ操作によって、テレビチューナに選局をさせることができる。したがって、本発明によれば、携帯情報処理装置は、テレビ受像機と協働することができ、ひいては携帯情報処理装置の利便性を向上させることができる。
【図面の簡単な説明】
【００１０】
【図１】第１の実施形態に係る携帯情報処理装置を正面側から見た斜視図
【図２】第１の実施形態に係る携帯情報処理装置を左側面側から見た斜視図
【図３】第１の実施形態に係る携帯情報処理装置の詳細構成を示す機能ブロック図
【図４】第１の実施形態に係るテレビチューナを接続した状態を示す模式図
【図５】第１の実施形態に係る携帯情報処理装置による情報処理のフローチャート
【図６】第４の実施形態に係る携帯情報処理装置の詳細構成を示す機能ブロック図
【発明を実施するための形態】
【００１１】
（第１の実施形態）
図１は、第１の実施形態に係る携帯情報処理装置を正面側から見た斜視図である。携帯情報処理装置１は、全体として略矩形板状に形成され、正面の略中央に設けられたタッチパネル２と、このタッチパネル２の右側に設けられた複数のボタンや、レバーなどによって構成される操作部３とを有する。タッチパネル２は、画面に画像を表示するための表示部として機能する。操作部３は、ユーザによる操作に対応する情報を携帯情報処理装置１に入力する。なお、タッチパネル２の画面にボタンなどの画像を表示し、このボタンにユーザが触れることによって、ユーザによる操作に対応する情報を入力するように携帯情報処理装置１を構成してもよい。すなわち、タッチパネル２を操作部として機能させてもよい。
【００１２】
図２は、携帯情報処理装置１を左側面側から見た斜視図である。携帯情報処理装置１は、操作部３とは反対側の側面（左側面）に設けられたＨＤＭＩ（High Definition Multimedia Interface）端子４１や、ＵＳＢ（Universal Serial Bus）端子４２などの複数の端子を含み、外部の機器との間で情報を送受信するためのインタフェース部４をさらに有する。
【００１３】
図３は、携帯情報処理装置１の詳細構成を示す機能ブロック図である。携帯情報処理装置１は、タッチパネル２、操作部３、およびインタフェース部４の他、記憶部５と、制御部６とを有する。これらは情報を互いに送受信することができるように構成されている。インタフェース部４は、ＨＤＭＩ端子４１およびＵＳＢ端子４２の他、赤外線信号を送信する赤外線送信部４３と、無線通信によって情報を送受信する無線通信部４４とを有する。無線通信部４４は、無線ＬＡＮ（Local Area Network）の規格に準拠し、ホームネットワーク７（図４参照）に携帯情報処理装置１を接続する。なお、本実施形態では、携帯情報処理装置１は、ＤＬＮＡ（Digital Living Network Alliance）の規格に準拠している。
【００１４】
記憶部５は、メモリ等によって構成され、携帯情報処理装置１に情報処理を実行させるためのプログラムを含む複数の情報を記憶する。以下、ユーザによる操作に対応するテレビ放送をテレビ受像機や、テレビチューナに選局させるために、携帯情報処理装置１にて実行される情報処理について主に説明する。
【００１５】
制御部６は、ＣＰＵ（Central Processing Unit）等によって構成され、記憶部５に記憶されたプログラムに従って情報処理を実行する。この制御部６は、判定部６１と、送信制御部６２とを有する。判定部６１は、携帯情報処理装置１にテレビチューナが接続されているか否かを判定する。
【００１６】
図４は、携帯情報処理装置１にテレビチューナを接続した状態を示す模式図である。テレビチューナ８は、携帯情報処理装置１と同様、ＤＬＮＡの規格に準拠し、携帯情報処理装置１を含んで構成されたホームネットワーク７に無線ＬＡＮによって接続される。携帯情報処理装置１は、ホームネットワーク７にテレビチューナ８が接続されると、ＵＰｎＰ（Universal Plug and Play）によって、テレビチューナ８を自動的に認識する。判定部６１は、携帯情報処理装置１がテレビチューナ８を認識している場合、テレビチューナ８が接続されていると判定する。また、判定部６１は、携帯情報処理装置１がテレビチューナ８を認識していない場合、テレビチューナ８が接続されていないと判定する。なお、携帯情報処理装置１には、ＤＬＮＡの他、前述したＨＤＭＩ端子４１や、ＵＳＢ端子４２などの他のインタフェースを介してテレビチューナを接続してもよい。
【００１７】
送信制御部６２は、判定部６１にてテレビチューナ８が接続されていると判定された場合、選局情報を外部に送信することなくテレビチューナ８に送信することによって、テレビチューナ８に選局をさせる。ここで、選局情報は、ユーザによる操作に対応するテレビ放送を選局するための情報である。具体的には、送信制御部６２は、ユーザが操作部３を操作することによって、選局情報が入力されると、この選局情報を無線通信部４４に出力する。無線通信部４４は、この選局情報を、ホームネットワーク７を介してテレビチューナ８に送信する。テレビチューナ８は、この選局情報を受信することによって、選局情報に対応するテレビ放送を選局する。そして、携帯情報処理装置１は、ホームネットワーク７を介してテレビチューナ８によって選局されたテレビ放送を受信し、このテレビ放送をタッチパネル２に表示させる。
【００１８】
これに対して、送信制御部６２は、判定部６１にてテレビチューナ８が接続されていないと判定された場合、選局情報を外部に送信することによって、テレビ受像機９に選局をさせる。具体的には、送信制御部６２は、ユーザが操作部３を操作することによって、選局情報が入力されると、この選局情報を赤外線送信部４３に出力する。赤外線送信部４３は、この選局情報を、赤外線信号に変換して外部に送信する。テレビ受像機９は、この赤外線信号を受信することによって、選局情報に対応するテレビ放送を選局する。すなわち、携帯情報処理装置１は、テレビ受像機９に選局をさせるリモートコントローラとして機能する。
【００１９】
図５は、携帯情報処理装置１による情報処理のフローチャートである。記憶部５に記憶されたプログラムが実行されると、判定部６１は、携帯情報処理装置１にテレビチューナ８が接続されているか否かを判定する（ステップ１）。ステップ１において、テレビチューナ８が接続されていると判定された場合、送信制御部６２は、選局情報を外部に送信することなくテレビチューナ８に送信することによって、テレビチューナ８に選局をさせる（ステップ２１）。そして、タッチパネル２は、テレビチューナ８によって選局されたテレビ放送を表示する（ステップ３）。これに対して、ステップ１において、テレビチューナ８が接続されていないと判定された場合、送信制御部６２は、選局情報を外部に送信することによって、テレビ受像機９に選局をさせる（ステップ２２）。
【００２０】
このように、本実施形態によれば、携帯情報処理装置１は、ユーザによる操作に対応するテレビ放送を選局するための選局情報を外部に送信することによって、テレビ受像機９に選局をさせるので、テレビ受像機９のリモートコントローラとして機能する。また、携帯情報処理装置１は、判定部６１と、送信制御部６２と、タッチパネル２とを有するので、携帯情報処理装置１と、テレビチューナ８とを接続した場合、ユーザは、テレビチューナ８によって選局されたテレビ放送を携帯情報処理装置１にて視聴することができる。この際、選局情報は、テレビチューナ８に送信されるので、ユーザは、リモートコントローラとして携帯情報処理装置１を用いる場合と同じ操作によって、テレビチューナ８に選局をさせることができる。したがって、本実施形態によれば、携帯情報処理装置１は、テレビ受像機９と協働することができ、ひいては携帯情報処理装置１の利便性を向上させることができる。
【００２１】
（第２の実施形態）
本実施形態の特徴は、テレビチューナ８に送信された選局情報を、記憶部５に記憶させることによって、タッチパネル２に表示されるテレビ放送と同じテレビ放送をテレビ受像機９に選局させる点にある。なお、それ以外については、上述した第１の実施形態と同様なので、ここでの説明を省略する。
【００２２】
送信制御部６２は、判定部６１にてテレビチューナ８が接続されていると判定された場合、テレビチューナ８に送信する選局情報を、記憶部５に記憶させる。また、送信制御部６２は、ユーザによる指示に基づいて、記憶部５に記憶された選局情報を外部に送信する。ここで、ユーザは、操作部３を操作することによって、送信制御部６２に対して指示をする。
【００２３】
このように、本実施形態によれば、上述した第１の実施形態と同様、携帯情報処理装置１は、テレビ受像機９と協働することができ、ひいては携帯情報処理装置１の利便性を向上させることができる。それとともに、ユーザは、テレビ受像機９にて視聴しているテレビ放送を変更することなく、携帯情報処理装置１にて他のテレビ放送の内容を確認し、他に視聴したいテレビ放送があった場合、操作部３を操作することによって、タッチパネル２に表示されるテレビ放送と同じテレビ放送をテレビ受像機９に選局させることができる。したがって、携帯情報処理装置１の利便性をさらに向上させることができる。
【００２４】
（第３の実施形態）
本実施形態の特徴は、外部に送信された選局情報を、記憶部５に記憶させることによって、テレビ受像機９に表示されるテレビ放送と同じテレビ放送をテレビチューナ８に選局させる点にある。
【００２５】
送信制御部６２は、外部に送信する選局情報を、記憶部５に記憶させる。また、送信制御部６２は、判定部６１にてテレビチューナ８が接続されていると判定された場合、記憶部５に記憶された選局情報を、テレビチューナ８に送信するとともに、テレビ受像機９の電源を切るための制御信号を外部に送信する。その後、送信制御部６２は、上述した第１の実施形態と同様、選局情報を外部に送信することなくテレビチューナ８に送信することによって、テレビチューナ８に選局をさせる。
【００２６】
このように、本実施形態によれば、上述した第１の実施形態と同様、携帯情報処理装置１は、テレビ受像機９と協働することができ、ひいては携帯情報処理装置１の利便性を向上させることができる。それとともに、携帯情報処理装置１と、テレビチューナ８とを接続した場合、ユーザは、テレビ受像機９に表示されるテレビ放送と同じテレビ放送をテレビチューナ８に選局をさせることができ、このテレビ放送を携帯情報処理装置１にて視聴することができる。また、この際、携帯情報処理装置１は、テレビ受像機９に電源を切らせることができるので、例えば、ある部屋において、テレビ受像機９にて視聴していたテレビ放送を他の部屋で引き続き視聴するような場合、このテレビ放送を携帯情報処理装置１に引き取ることができる。したがって、携帯情報処理装置１の利便性をさらに向上させることができる。
【００２７】
（第４の実施形態）
図６は、第４の実施形態に係る携帯情報処理装置１の詳細構成を示す機能ブロック図である。本実施形態の特徴は、テレビ放送の番組表を外部から取得してタッチパネル２に表示させるとともに、この番組表の欄のうち、テレビチューナ８によって選局されたテレビ放送に対応する欄に、このテレビ放送を表示させる点にある。
【００２８】
制御部６は、テレビ放送の番組表を外部から取得する取得部６３を有する。ここで、取得部６３は、番組表を放送局や、インターネットから取得する。タッチパネル２は、判定部６１にてテレビチューナ８が接続されていると判定された場合、取得部６３にて取得された番組表を表示する。そして、タッチパネル２は、この番組表の欄のうち、テレビチューナ８によって選局されたテレビ放送に対応する欄に、このテレビ放送を縮小して表示する。
【００２９】
このように、本実施形態によれば、上述した第１の実施形態と同様、携帯情報処理装置１は、テレビ受像機９と協働することができ、ひいては携帯情報処理装置１の利便性を向上させることができる。それとともに、ユーザは、番組表と、テレビ放送の内容とを関連付けて携帯情報処理装置１にて確認することができる。
【００３０】
なお、上述した各実施形態では、送信制御部６２は、判定部６１にてテレビチューナ８が接続されていると判定された場合、選局情報を外部に送信することなくテレビチューナ８に送信していた。これに対して、第１、第３、および第４の実施形態では、送信制御部６２は、ユーザによる指示に基づいて、選局情報を外部と、テレビチューナ８とに切り替えて送信するように構成されていてもよい。また、第１および第４の実施形態では、送信制御部６２は、選局情報を外部と、テレビチューナ８との双方に送信するように構成されていてもよい。要するに、送信制御部は、判定部にてテレビチューナが接続されていると判定された場合、選局情報を、このテレビチューナに送信すればよい。
【００３１】
また、上述した第３の実施形態では、送信制御部６２は、記憶部５に記憶されたプログラムが実行されることによって、判定部６１にてテレビチューナ８が接続されていると判定された場合、記憶部５に記憶された選局情報を、テレビチューナ８に送信するとともに、テレビ受像機９の電源を切るための制御信号を外部に送信していた。これに対して、送信制御部６２は、ユーザによる指示に基づいて、記憶部５に記憶された選局情報を、テレビチューナ８に送信するとともに、テレビ受像機９の電源を切るための制御信号を外部に送信するように構成されていてもよい。
【産業上の利用可能性】
【００３２】
以上のように、本発明は、ユーザによる操作に対応するテレビ放送を選局するための選局情報を外部に送信することによって、テレビ受像機に選局をさせる携帯情報処理装置に広く適用できる。
【符号の説明】
【００３３】
１  携帯情報処理装置
２  タッチパネル（表示部）
３  操作部
４  インタフェース部
５  記憶部
６  制御部
７  ホームネットワーク
８  テレビチューナ
９  テレビ受像機
４１  ＨＤＭＩ端子
４２  ＵＳＢ端子
４３  赤外線送信部
４４  無線通信部
６１  判定部
６２  送信制御部
６３  取得部
【図１】
2013051458.tif 000003
【図２】
2013051458.tif 000004
【図３】
2013051458.tif 000005
【図４】
2013051458.tif 000006
【図５】
2013051458.tif 000007
【図６】
2013051458.tif 000008